(57)【要約】【課題】下水管の悪臭の逆流と害虫の発生を抑制することができるとともに、、錘の取り換えなどの煩雑な作業を要することなく雨量の変化に対応することができる集水桝用防臭蓋を提供する。【解決手段】集水桝Ｃの枠部Ｆに係着する外周鍔部２１と集水桝の開口部を覆う被覆部２２とを有する蓋本体部２０と、被覆部に形成された通水開口部２５と、通水開口部を被覆部の裏面側において開閉するように蓋本体部に配置された開閉蓋部３０と、開閉蓋部に一定の荷重が加わった時には該開閉蓋部が下方に開くとともに一定の荷重が加わらない時には該開閉蓋部が上方に閉じる開閉機構４０とを備え、開閉機構は、開閉蓋部を回動可能に軸支する開閉軸部４１と、開閉軸部の開閉蓋部と反対方向に配置され開閉蓋部を常時閉鎖方向へ付勢する錘部５０を有し、錘部は、錘本体部５１と錘本体部に開閉蓋部の回動方向Ｒに角度調節自在に設けられた調節錘部６０とから構成されている。【選択図】図２
2014125849.tif 000002
【特許請求の範囲】
【請求項１】
集水桝の枠部に係着する外周鍔部と前記集水桝の開口部を覆う被覆部とを有する蓋本体部と、
前記被覆部に形成された集水桝への通水開口部と、
前記通水開口部を前記被覆部の裏面側において開閉するように前記蓋本体部に配置された開閉蓋部と、
前記開閉蓋部に一定の荷重が加わった時には該開閉蓋部が下方に開くとともに一定の荷重が加わらない時には該開閉蓋部が上方に閉じる開閉機構とを備え、
前記開閉機構は、前記開閉蓋部を回動可能に軸支する開閉軸部と、前記開閉軸部の前記開閉蓋部と反対方向に配置され前記開閉蓋部を常時閉鎖方向へ付勢する錘部を有し、
前記錘部は、錘本体部と前記錘本体部に前記開閉蓋部の回動方向に角度調節自在に設けられた調節錘部とから構成されている
ことを特徴とする集水桝用防臭蓋。
【請求項２】
前記調節錘部が、角度調節自在な棒状錘部と前記棒状錘部の棒方向に位置変動可能な可動錘部とからなる請求項１に記載の集水桝用防臭蓋。
【請求項３】
前記通水開口部の少なくとも裏面側の外周縁にシール部が形成されている請求項１又は２に記載の集水桝用防臭蓋。
【請求項４】
前記シール部が前記通水開口部の外周縁に取り付けられた断面視コ字状の弾性部材からなる請求項３に記載の集水桝用防臭蓋。
【請求項５】
前記蓋本体部に上面に配備される桝蓋への固定部が設けられた請求項１ないし４のいずれか１項に記載の集水桝用防臭蓋。
【請求項６】
前記固定部が前記蓋本体部に立設されたボルト部材と桝蓋固定用の連結固定部材と前記連結固定部材を介して前記ボルト部材を固定するナット部材からなる請求項５項に記載の集水桝用防臭蓋。
【発明の詳細な説明】
【技術分野】
【０００１】
本発明は、集水桝用防臭蓋に関し、特に集水桝の開口部に設置され、下水管等の悪臭の逆流を防ぐとともに、害虫の発生を防ぐことができる集水桝用防臭蓋に関する。
【背景技術】
【０００２】
雨水などの流水は、道路脇に形成される集水桝から下水管に排水として流入する。集水桝は下水本管と繋がっていることから、下水の悪臭が逆流し、集水桝から悪臭がするといった問題がある。また、下水で発生した害虫が下水管を通って集水桝から地上に出てくることにより、衛生上の面でも好ましくない。そのため、下水管からの悪臭の逆流及び害虫の発生を防ぐため、集水桝に蓋を設置することが考えられる。集水桝に設置される蓋は、例えば、雨水などを下水管に導入するため、集水桝に流入した雨水の自重で開放する内蓋を有する開閉式の蓋がある。
【０００３】
集水桝に設置される開閉式の蓋には、例えば、縦筒体の下端開口の一辺に搖動自在に取り付けられ、バランスウェイトによって下側から下端開口を塞ぐ可動板部と、下端開口の略半分を塞ぐ固定底板に、増水噴出機構が構成された集水桝に取り付けられる防臭蓋が提案されている（特許文献１参照。）。この発明によれば、雨水等が縦筒体に溜まると、可動板部に荷重がかかり、バランスウェイトの付勢力よりも荷重が大きくなると可動板部が開口方向に回動して集水桝内に排水される。
【０００４】
また、内部に中蓋を一定以上の重力によって開放可能に構成され、バランスおもりにて付勢され、中蓋には、内部からの増水によって押し開けられて溢流を許容するフラップ片が回動自在に備える排水升が提案されている（特許文献２参照。）。この発明も同様に、一定の荷重を超えた重量の水が中蓋に溜まると、中蓋が開放されて集水桝内に排水される。
【０００５】
下水の悪臭を防ぐためには、中蓋と開口に隙間を作らない構成としなければならない。これらの桝蓋は、バランスウェイト等の錘の付勢力により中蓋が開口に押し付けられて隙間を作らないように構成されるが、錘の付勢力が強すぎたり弱すぎたりすることにより、様々な問題が生じる。例えば、付勢力が強すぎると、中蓋が開放状態になるための荷重が大きくなり、雨量の多い季節以外には、中蓋の上に水が溜まって集水桝内に水が排出されず、溜まった水から害虫が発生したり水や落ち葉等が腐って悪臭を発する等が考えられる。逆に、付勢力が弱すぎると、少量の水で中蓋が開放されるため、内蓋の開放状態の時間が長くなり悪臭の逆流を防ぐことができなくなってしまう。
【０００６】
また、季節により雨量が大きく変化するような地域では、季節ごとに望ましい付勢力の強さが異なる。このことから、錘を取り替える作業等が必要となり、煩雑である。
【先行技術文献】
【特許文献】
【０００７】
【特許文献１】特許第３７４７２８８号公報
【特許文献２】実開平７−１７８９３号公報
【発明の概要】
【発明が解決しようとする課題】
【０００８】
本発明は、前記の点に鑑みなされたものであって、下水管の悪臭の逆流と害虫の発生を抑制することができるとともに、錘の取り換えなどの煩雑な作業を要することなく雨量の変化に対応することができる集水桝用防臭蓋を提供する。
【課題を解決するための手段】
【０００９】
すなわち、請求項１の発明は、集水桝の枠部に係着する外周鍔部と前記集水桝の開口部を覆う被覆部とを有する蓋本体部と、前記被覆部に形成された集水桝への通水開口部と、前記通水開口部を前記被覆部の裏面側において開閉するように前記蓋本体部に配置された開閉蓋部と、前記開閉蓋部に一定の荷重が加わった時には該開閉蓋部が下方に開くとともに一定の荷重が加わらない時には該開閉蓋部が上方に閉じる開閉機構とを備え、前記開閉機構は、前記開閉蓋部を回動可能に軸支する開閉軸部と、前記開閉軸部の前記開閉蓋部と反対方向に配置され前記開閉蓋部を常時閉鎖方向へ付勢する錘部を有し、前記錘部は、錘本体部と前記錘本体部に前記開閉蓋部の回動方向に角度調節自在に設けられた調節錘部とから構成されていることを特徴とする集水桝用防臭蓋に係る。
【００１０】
請求項２の発明は、前記調節錘部が、角度調節自在な棒状錘部と前記棒状錘部の棒方向に位置変動可能な可動錘部とからなる請求項１に記載の集水桝用防臭蓋に係る。
【００１１】
請求項３の発明は、前記通水開口部の少なくとも裏面側の外周縁にシール部が形成されている請求項１又は２に記載の集水桝用防臭蓋に係る。
【００１２】
請求項４の発明は、前記シール部が前記通水開口部の外周縁に取り付けられた断面視コ字状の弾性部材からなる請求項３に記載の集水桝用防臭蓋に係る。
【００１３】
請求項５の発明は、前記蓋本体部に上面に配備される桝蓋への固定部が設けられた請求項１ないし４のいずれか１項に記載の集水桝用防臭蓋に係る。
【００１４】
請求項６の発明は、前記固定部が桝本体部に立設されたボルト部材と桝蓋固定用の連結固定部材と前記連結固定部材を介して前記ボルト部材を固定するナット部材からなる請求項５項に記載の集水桝用防臭蓋に係る。
【発明の効果】
【００１５】
請求項１の発明に係る集水桝用防臭蓋によると、集水桝の枠部に係着する外周鍔部と前記集水桝の開口部を覆う被覆部とを有する前記蓋本体部と、前記被覆部に形成された集水桝への通水開口部と、前記通水開口部を前記被覆部の裏面側において開閉するように前記蓋本体部に配置された開閉蓋部と、前記開閉蓋部に一定の荷重が加わった時には該開閉蓋部が下方に開くとともに一定の荷重が加わらない時には該開閉蓋部が上方に閉じる開閉機構とを備え、前記開閉機構は、前記開閉蓋部を回動可能に軸支する開閉軸部と、前記開閉軸部の前記開閉蓋部と反対方向に配置され前記開閉蓋部を常時閉鎖方向へ付勢する錘部を有し、前記錘部は、錘本体部と前記錘本体部に前記開閉蓋部の回動方向に角度調節自在に設けられた調節錘部とから構成されていることから、下水管の悪臭の逆流と害虫の発生を抑制することができるとともに、錘の取り替え作業等を要することなく、錘の付勢力を容易に変化させることができ、雨量の変化に対応することができる。
【００１６】
請求項２の発明に係る集水桝用防臭蓋によると、請求項１の発明において、前記調節錘部が、角度調節自在な棒状錘部と前記棒状錘部の棒方向に位置変動可能な可動錘部とからなることから、開閉蓋部の閉鎖方向への付勢力の微調整を容易に行うことができる。
【００１７】
請求項３の発明に係る集水桝用防臭蓋によると、請求項１又は２の発明において、前記通水開口部の少なくとも裏面側の外周縁にシール部が形成されていることから、開閉蓋部の閉鎖時の衝撃を和らげることができるとともに、通水開口部と開閉蓋部の間に隙間ができにくい。
【００１８】
請求項４の発明に係る集水桝用防臭蓋によると、請求項３の発明において、前記シール部が前記通水開口部の外周縁に取り付けられた断面視コ字状の弾性部材からなることから、取付が容易である。
【００１９】
請求項５の発明に係る集水桝用防臭蓋によると、請求項１ないし４の発明において、前記蓋本体部に上面に配備される桝蓋への固定部が設けられたことから、桝蓋ががたつきにくい。
【００２０】
請求項６の発明に係る集水桝用防臭蓋によると、請求項５の発明において、前記固定部が前記蓋本体部に立設されたボルト部材と桝蓋固定用の連結固定部材と前記連結固定部材を介して前記ボルト部材を固定するナット部材からなることから、取付が容易で桝蓋ががたつきにくい。
【図面の簡単な説明】
【００２１】
【図１】本発明の一実施例に係る集水桝用防臭蓋の開閉蓋部が閉鎖状態の断面図である。
【図２】図１の集水桝用防臭蓋の開閉蓋部が開放状態の断面図である。
【図３】図１の集水桝用防臭蓋の裏側斜視図である。
【図４】調節錘部の調節例を示す拡大断面図である。
【発明を実施するための形態】
【００２２】
図１，２に示す本発明の一実施例に係る集水桝用防臭蓋１０は、蓋本体部２０と、通水開口部２５と、開閉蓋部３０と、開閉機構４０とを備える。蓋本体部２０は、集水桝Ｃの枠部Ｆに係着する外周鍔部２１と、集水桝Ｃを覆う被覆部２２とを有する。被覆部２２は外周鍔部２１と一体に形成され、中央を凹状に変形させた凹部２３を有し、雨水等が流入しやすい形状とされる。なお集水桝Ｃは、縦筒型等の従来公知の集水桝である。
【００２３】
通水開口部２５は、被覆部２２に形成され、被覆部２２の凹部２３に流入した雨水を集水桝Ｃ内に排出する。被覆部２２を通水開口部２５側に傾斜させることにより、雨水の滞りが抑制され、ゴミが堆積しにくくなり詰まり等が生じにくくなる。
【００２４】
開閉蓋部３０は、通水開口部２５を被覆部２２の裏面側において開閉するように蓋本体部２０に配置される。開閉蓋部３０が閉鎖時に通水開口部２５に配置されることにより、集水桝Ｃの開口部が閉じられるため、下水からの悪臭及び害虫が集水桝Ｃの外部へ漏れ出ることを抑制することができる。また、開閉蓋部３０は板状部材からなり、通水開口部２５よりも大きく形成すれば、通水開口部２５との隙間ができにくい。加えて、実施例のように、開閉蓋部３０の外周を屈曲させることによって隙間を塞ぎやすくなる。開閉蓋部３０の材質は、アルミニウムやステンレス鋼等の金属部材である。さらには、開閉蓋部３０を銅製とすることにより、溜まった雨水の浄化作用が期待できる。
【００２５】
開閉機構４０は、開閉蓋部３０に一定の荷重が加わらない時には、該開閉蓋部が上方に閉じ（図１参照）、開閉蓋部３０に一定の荷重が加わった時には、該開閉蓋部３０が下方に開く（図２参照）機構である。開閉機構４０は、開閉蓋部３０を回動可能に軸支する開閉軸部４１と、開閉軸部４１の開閉蓋部３０の反対方向に配置され開閉蓋部３０を常時閉鎖方向に付勢する錘部５０を有する。
【００２６】
図１及び図２に示すように、開閉機構４０では、開閉蓋部３０が開閉軸部４１を軸として回動方向Ｒに回動される。錘部５０は、開閉蓋部３０の反対方向に配置され、該錘部５０の垂直下向きの荷重が、開閉軸部４１を介して開閉蓋部３０の閉鎖方向Ｘへの付勢力となる。これにより、開閉蓋部３０に錘部５０の付勢力以上の荷重がかからなければ、開閉蓋部３０が開放されず、下水管の悪臭の逆流及び害虫の発生を防ぐことができる。開閉蓋部３０に付勢力以上の重量の雨水が溜まった時に、開閉蓋部３０が開放方向Ｘに回動して開放状態となり、雨水が集水桝Ｃ内に排出される。雨水が集水桝Ｃに排出され、開閉蓋部３０に係る荷重が小さくなると、錘部５０の付勢力により開閉蓋部３０が回動し、閉鎖状態となる。
【００２７】
この開閉機構４０では、特に、錘部５０が錘本体部５１と調節錘部６０とから構成されている。錘本体部５１は錘部５０の最低限の付勢力を確保するために形成される。調節錘部６０は、調節軸部６３を軸として回動方向Ｒに角度調節自在に設けられる。図３に示すように、調節軸部６３は錘部５０の先端に形成され、該調節軸部６３から延設された棒状錘部６１と可動錘部６２からなる調節錘部６０が形成される。調整軸部６３を軸として回動可能な調節錘部６０は、角度固定部６４により任意の角度で固定される。
【００２８】
実施例の開閉機構４０においては、図３に示すように、被覆部２２から下方に延設された２本の軸受部４３に棒状の開閉軸部４１が架設され、一対のアーム部４２が軸支される。アーム部４２の一端には開閉蓋部３０と、他端には錘部５０が形成される。一対のアーム部４２の端部に錘部５０を構成する柱状の錘本体部５１と棒状の調節錘部６０が架設されることにより、開閉軸部４１と錘部５０との距離が大きくなり錘部５０の重量を小さくすることができる。棒状の調節軸部６３は錘本体部５１よりアーム部４２の先端側に形成され、調節軸部６３の中央から棒状錘部６１が延設される。図示する例以外に、開閉軸部４１は、蓋本体部２０の被覆体２２裏面に直接配置される構成としてもよい。
【００２９】
開閉機構４０では、図４（ａ）に示すように、調節錘部６０の重心を開閉軸部４１に近づける方向に角度調節することにより、調節錘部６０の重心位置と開閉軸部４１との距離Ｌが小さくなり、錘部５０全体の重心位置が開閉軸部４１に近づく。これにより、開閉蓋部３０の閉鎖方向Ｘへの付勢力が小さくなる。反対に、図４（ｂ）に示すように、調節錘部６０の重心を開閉軸部４１から遠ざける方向に角度調節することにより、調節錘部６０の重心位置と開閉軸部４１との距離Ｌが大きくなり、錘部５０全体の重心位置が開閉軸部４１から遠くなる。これにより、開閉蓋部３０の閉鎖方向Ｘへの付勢力が大きくなる。
【００３０】
また、調節錘部６０を角度調節自在な棒状錘部６１と棒状錘部６１の棒方向に位置変動可能な可動錘部６２とからなる構成とすることにより、錘部５０全体の重心の位置をさらに変化させることができる。図４（ｃ）に示すように、可動錘部６２を棒状錘部６１の先端位置に移動させることにより、調節錘部６０の重心と開閉軸部４１との距離Ｌがさらに大きくなるため、錘部５０全体の重心位置と開閉軸部４１との距離が遠くなり、開閉蓋部３０の閉鎖方向Ｘへの付勢力がさらに大きくなる。
【００３１】
このように、調節錘部６０によって簡単な構成で錘部５０の重心位置を任意に調節することができるため、開閉蓋部３０の閉鎖方向Ｘへの付勢力を容易かつ自在に変更することができる。このため、錘を取り替えたりする等の煩雑な作業を必要とすることなく、開閉蓋部３０が開放される雨水等の重量を調節し、雨量の変化に対応することができる。
【００３２】
本発明の集水桝用防臭蓋１０では、通水開口部２５と開閉蓋部３０との間に隙間ができると、下水管からの悪臭が隙間から逆流して、集水桝Ｃの悪臭の原因となる。また、蚊等の害虫は５ｍｍ程度の隙間から出入りすることができることから、通水開口部２５と開閉蓋部３０との間の隙間が小さくなる構成とすることが望ましい。
【００３３】
そこで、通水開口部２５の少なくとも裏面側の外周縁２４にシール部７０を形成することが考えられる。シール部７０は、開閉蓋部３０と通水開口部２５との隙間を生じにくくすることができるとともに、開閉蓋部３０が閉鎖する際の回動の衝撃を緩和することができるため、開閉蓋部３０の衝撃による変形が起きにくく、変形による隙間が生じにくい。また、図１に示すように、通水開口部２５の外周縁２４に取り付けられる断面視コ字状の弾性部材７１からなるシール部７０とすることによって、取り付けやすくなりより好ましい。図示しないが、シール部７０は通水開口部２５の裏面側の外周縁２４に塗膜する形状としてもよい。
【００３４】
また、本発明の集水桝用防臭蓋１０では、図１及び図２に示すように、蓋本体部２０に上面に配備される桝蓋８０への固定部９０が設けらる。該固定部９０は蓋本体部２０に立設されたボルト部材９２と桝蓋８０固定用の連結固定部材９１と連結固定部材９１を介してボルト部材９２を固定するナット部材９３からなる。桝蓋８０は、公知の桝蓋からなり、集水桝用防臭蓋１０の被覆部２２に大きなゴミが流入するのを防ぐことができる。このため、通水開口部２５が詰まって水が流れなくなったり、ゴミが挟まって通水開口部２５と開閉蓋部３０の間に隙間ができるのを防ぐことができる。
【００３５】
固定部９０では、ボルト部材９２が蓋本体部２０に溶接等により固定されているため、取り付けやすく設置しやすい。また、連結固定部材９１は桝蓋８０を押さえつけてナット部材９３により固定されるため、桝蓋８０のがたつきが抑えられる。
【００３６】
以上から、本発明の集水桝用防臭蓋は、本体部と、通水開口部と、通水開口部の裏面側に配置された開閉蓋部と、開閉蓋部を開閉方向に回動させる開閉機構を備えることから、開閉蓋部が開放状態の時には、雨水等を集水桝内に排出することができ、開閉蓋部が閉鎖状態の時には、下水管からの悪臭や害虫の発生を抑制することができる。さらに、角度調節自在に設けられた調節錘部により、煩雑な作業を要することなく開閉蓋部の閉鎖方向への付勢力を変更することができるため、雨量の変化への対応が容易である。また、調節軸部が、角度調節自在な棒状錘部と棒状錘部の棒方向に位置変動可能な可動錘部とから構成されることにより、付勢力の微調節が容易となる。加えて、通水開口部の外周縁にシール部が形成されることから、開閉蓋部の閉鎖時の衝撃を和らげることができ、かつ通水開口部と開閉蓋部の間の隙間を小さくすることができる。
【００３７】
なお、本発明の集水桝用防臭蓋は、前述の実施例のみに限定されるものではなく、発明の趣旨を逸脱しない範囲において構成の一部を適宜に変更して実施することができる。例えば、実施例では一対のアームに錘部５０等を架設する構成としたが、これに限らず単一のアームに錘部５０等を設けてもよい。
【符号の説明】
【００３８】
１０  集水桝用防臭蓋
２０  蓋本体部
２１  外周鍔部
２２  被覆部
２５  通水開口部
３０  開閉蓋部
４０  開閉機構
４１  開閉軸部
５０  錘部
５１  錘本体部
６０  調節錘部
６１  棒状錘部
６２  可動錘部
７０  シール部
７１  弾性部材
８０  桝蓋
９０  固定部
９１  連結固定部材
９２  ボルト部材
９３  ナット部材
Ｃ  集水桝
Ｆ  枠部
【図１】
2014125849.tif 000003
【図２】
2014125849.tif 000004
【図３】
2014125849.tif 000005
【図４】
2014125849.tif 000006